【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
光軸に垂直な方向に動いて画像振れを補正する補正光学系と、焦点距離を変更するための変倍レンズと、焦点調節を行うフォーカスレンズとを有する撮像光学系と、
前記撮像光学系により結像された被写体像を撮像する撮像手段と、
前記撮像光学系の焦点距離を検出する焦点距離検出手段と、
被写体距離を検出する被写体距離検出手段と、
振れを検出する振れ検出手段と、
前記振れ検出手段により検出した振れに基づいて、光学機器の使用者が歩行中か否かを判定する歩き撮影判定手段と、
前記歩き撮影判定手段の判定結果と、前記焦点距離と、前記被写体距離とに基づいて、前記補正光学系の移動量に対する撮像面上の被写体像の移動量の割合である敏感度を生成する敏感度生成手段と、
前記振れの量と前記敏感度とに基づいて、補正量を算出する補正量算出手段と、
前記補正量に基づいて像振れを補正するように前記補正光学系を駆動する制御手段とを備え、
前記敏感度生成手段は、前記歩き撮影判定手段により前記光学機器の使用者が歩行中と判定された場合に、前記被写体距離、あるいは前記焦点距離、あるいは前記敏感度の範囲を限定して前記敏感度を生成することを特徴とする光学機器。
【請求項２】
前記敏感度生成手段は、前記歩き撮影判定手段により前記光学機器の使用者が歩行中と判定された場合に、前記被写体距離を固定値とした場合の前記敏感度を生成することを特徴とする請求項１に記載の光学機器。
【請求項３】
前記敏感度生成手段は、前記歩き撮影判定手段により前記光学機器の使用者が歩行中と判定された場合に、前記被写体距離を無限遠とした場合の前記敏感度を生成することを特徴とする請求項２に記載の光学機器。
【請求項４】
前記敏感度生成手段は、前記歩き撮影判定手段により前記光学機器の使用者が歩行中と判定された場合に、前記被写体距離を無限遠付近に限定して前記敏感度を生成することを特徴とする請求項１に記載の光学機器。
【請求項５】
前記敏感度生成手段は、所定の焦点距離よりもワイド側の焦点距離範囲においてのみ、前記歩き撮影判定手段により前記光学機器の使用者が歩行中と判定された場合に、前記被写体距離、あるいは前記敏感度の範囲を限定して前記敏感度を生成することを特徴とする請求項１に記載の光学機器。
【請求項６】
前記焦点距離と前記被写体距離に対して複数個の離散的な敏感度情報を記憶しておく記憶手段をさらに備え、前記敏感度生成手段は、前記焦点距離検出手段と前記被写体距離検出手段とから検出した焦点距離及び被写体距離に基づいて、前記記憶手段に記憶されている敏感度情報から補間演算して前記敏感度を生成することを特徴とする請求項１乃至５のいずれか１項に記載の光学機器。
【請求項７】
請求項１乃至６のいずれか１項に記載の光学機器を備えた撮像装置。
【請求項８】
光軸に垂直な方向に動いて画像振れを補正する補正光学系と、焦点距離を変更するための変倍レンズと、焦点調節を行うフォーカスレンズとを有する撮像光学系と、前記撮像光学系により結像された被写体像を撮像する撮像手段とを備える光学機器を制御する方法であって、
前記撮像光学系の焦点距離を検出する焦点距離検出工程と、
被写体距離を検出する被写体距離検出工程と、
振れを検出する振れ検出工程と、
前記光学機器の振れに基づいて前記光学機器の使用者が歩行中か否かを判定する歩き撮影判定工程と、
前記歩き撮影判定工程での判定結果と、前記焦点距離と、前記被写体距離とに基づいて、前記補正光学系の移動量に対する撮像面上の被写体像の移動量の割合である敏感度を生成する敏感度生成工程と、
前記振れの量と前記敏感度とに基づいて、補正量を算出する補正量算出工程と、
前記補正量に基づいて像振れを補正するように前記補正光学系を駆動する制御工程とを備え、
前記敏感度生成工程では、前記歩き撮影判定工程において前記光学機器の使用者が歩行中と判定された場合に、前記被写体距離、あるいは前記焦点距離、あるいは前記敏感度の範囲を限定して前記敏感度を生成することを特徴とする光学機器の制御方法。
【請求項９】
コンピュータに、請求項８に記載の制御方法の各工程を実行させるためのプログラム。
【請求項１０】
コンピュータに、請求項８に記載の制御方法の各工程を実行させるためのプログラムを記憶したコンピュータが読み取り可能な記憶媒体。
【請求項１１】
装置の振れを検出する振れ検出手段により検出した振れに基づいて、前記装置の使用者が歩行中か否かを判定する歩き撮影判定手段と、
前記歩き撮影判定手段の判定結果と、撮像光学系の焦点距離と、被写体距離とに基づいて、前記撮像光学系が有する補正光学系の移動量に対する撮像面上の被写体像の移動量の割合である敏感度を生成する敏感度生成手段と、
前記振れの量と前記敏感度とに基づいて、補正量を算出する補正量算出手段と、
前記補正量に基づいて像振れを補正するように前記撮像光学系が有する補正光学系を駆動する制御手段とを備え、
前記敏感度生成手段は、前記歩き撮影判定手段により前記装置の使用者が歩行中と判定された場合に、前記被写体距離、あるいは前記焦点距離、あるいは前記敏感度の範囲を限定して前記敏感度を生成することを特徴とする像ブレ補正装置。
【請求項１２】
前記敏感度生成手段は、前記歩き撮影判定手段により前記装置の使用者が歩行中と判定された場合に、前記被写体距離を固定値とした場合の前記敏感度を生成することを特徴とする請求項１１に記載の像ブレ補正装置。
【請求項１３】
前記敏感度生成手段は、前記歩き撮影判定手段により前記装置の使用者が歩行中と判定された場合に、前記被写体距離を無限遠とした場合の前記敏感度を生成することを特徴とする請求項１２に記載の像ブレ補正装置。
【請求項１４】
前記敏感度生成手段は、前記歩き撮影判定手段により前記装置の使用者が歩行中と判定された場合に、前記被写体距離を無限遠付近に限定して前記敏感度を生成することを特徴とする請求項１１に記載の像ブレ補正装置。
【請求項１５】
前記敏感度生成手段は、所定の焦点距離よりもワイド側の焦点距離範囲においてのみ、前記歩き撮影判定手段により前記装置の使用者が歩行中と判定された場合に、前記被写体距離、あるいは前記敏感度の範囲を限定して前記敏感度を生成することを特徴とする請求項１１に記載の像ブレ補正装置。
【請求項１６】
前記敏感度生成手段は、前記焦点距離及び前記被写体距離に基づいて、記憶手段に記憶されている前記焦点距離と前記被写体距離に対する複数個の離散的な敏感度情報から補間演算して前記敏感度を生成することを特徴とする請求項１１乃至１５のいずれか１項に記載の像ブレ補正装置。
【請求項１７】
請求項１１乃至１６のいずれか１項に記載の像ブレ補正装置を備えた撮像装置。
【請求項１８】
装置の振れを検出する振れ検出手段により検出した振れに基づいて、前記装置の使用者が歩行中か否かを判定する歩き撮影判定工程と、
前記歩き撮影判定工程での判定結果と、撮像光学系の焦点距離と、被写体距離とに基づいて、前記撮像光学系が有する補正光学系の移動量に対する撮像面上の被写体像の移動量の割合である敏感度を生成する敏感度生成工程と、
前記振れの量と前記敏感度とに基づいて、補正量を算出する補正量算出工程と、
前記補正量に基づいて像振れを補正するように前記撮像光学系が有する補正光学系を駆動する制御工程とを備え、
前記敏感度生成工程では、前記歩き撮影判定工程において前記装置の使用者が歩行中と判定された場合に、前記被写体距離、あるいは前記焦点距離、あるいは前記敏感度の範囲を限定して前記敏感度を生成することを特徴とする像ブレ補正装置の制御方法。
【請求項１９】
コンピュータに、請求項１８に記載の制御方法の各工程を実行させるためのプログラム。
【請求項２０】
コンピュータに、請求項１８に記載の制御方法の各工程を実行させるためのプログラムを記憶したコンピュータが読み取り可能な記憶媒体。
【手続補正２】
【補正対象書類名】明細書
【補正対象項目名】発明の名称
【補正方法】変更
【補正の内容】
【発明の名称】光学機器、像ブレ補正装置、撮像装置、およびその制御方法、プログラム、記憶媒体
【手続補正３】
【補正対象書類名】明細書
【補正対象項目名】００１４
【補正方法】変更
【補正の内容】
【００１４】
本発明に係わる光学機器は、光軸に垂直な方向に動いて画像振れを補正する補正光学系と、焦点距離を変更するための変倍レンズと、焦点調節を行うフォーカスレンズとを有する撮像光学系と、前記撮像光学系により結像された被写体像を撮像する撮像手段と、前記撮像光学系の焦点距離を検出する焦点距離検出手段と、被写体距離を検出する被写体距離検出手段と、振れを検出する振れ検出手段と、前記振れ検出手段により検出した振れに基づいて、光学機器の使用者が歩行中か否かを判定する歩き撮影判定手段と、前記歩き撮影判定手段の判定結果と、前記焦点距離と、前記被写体距離とに基づいて、前記補正光学系の移動量に対する撮像面上の被写体像の移動量の割合である敏感度を生成する敏感度生成手段と、前記振れの量と前記敏感度とに基づいて、補正量を算出する補正量算出手段と、前記補正量に基づいて像振れを補正するように前記補正光学系を駆動する制御手段とを備え、前記敏感度生成手段は、前記歩き撮影判定手段により前記光学機器の使用者が歩行中と判定された場合に、前記被写体距離、あるいは前記焦点距離、あるいは前記敏感度の範囲を限定して前記敏感度を生成することを特徴とする。